(57)【要約】【課題】バルコニーや廊下の換気を良好にできる建物を提供する。【解決手段】本発明に係る建物１は、バルコニー２の床１３の建物外部側端部９に、バルコニー側から建物外部側に向けて傾斜して立ち上がる傾斜面１１を有した気流制御部２０を備えたり、廊下３の床１３の建物外部側端部９に、廊下側から建物外部側に向けて傾斜して立ち上がる傾斜面１１を有した気流制御部３０を備えたことを特徴とする。例えば、気流制御部２０は、バルコニー側から建物外部側に向けて傾斜して立ち上がる傾斜面１１を形成する平板１２により形成される。【選択図】図１
2013204304.tif 000002
【特許請求の範囲】
【請求項１】
バルコニーの床の建物外部側端部に、バルコニー側から建物外部側に向けて傾斜して立ち上がる傾斜面を有した気流制御部を備えたことを特徴とする建物。
【請求項２】
廊下の床の建物外部側端部に、廊下側から建物外部側に向けて傾斜して立ち上がる傾斜面を有した気流制御部を備えたことを特徴とする建物。
【請求項３】
相対峙する一方の外壁面側及び他方の外壁面側のいずれか一方側にバルコニーが設けられて他方側に廊下が設けられた構成、又は、相対峙する一方の外壁面側及び他方の外壁面側の両方側にバルコニーが設けられた構成を備えるとともに、バルコニーの床の建物外部側端部に、バルコニー側から建物外部側に向けて傾斜して立ち上がる傾斜面を有した気流制御部を備え、かつ、廊下の床の建物外部側端部に、廊下側から建物外部側に向けて傾斜して立ち上がる傾斜面を有した気流制御部を備えたことを特徴とする建物。
【請求項４】
気流制御部として、手摺を兼ねた構成の気流制御部を備えたことを特徴とする請求項１乃至請求項３のいずれか一項に記載の建物。
【発明の詳細な説明】
【技術分野】
【０００１】
本発明は、建物のバルコニーや廊下の換気を良好にできる建物に関する。
【背景技術】
【０００２】
建物のバルコニーや廊下においては、バルコニーの床の端部や廊下の床の端部に沿って墜落防止用の手摺等の垂直部を備えている構成が一般的である。
【先行技術文献】
【特許文献】
【０００３】
【特許文献１】特開２００３−８３５７７号公報
【発明の概要】
【発明が解決しようとする課題】
【０００４】
上述した建物においては、バルコニーの床の建物外部側端部や廊下の床の建物外部側端部に垂直部１５（図３（ｂ）；図４（ｂ）参照）を備えるので、バルコニーや廊下に対する気流の出入が少なくなり、バルコニー内、廊下内で空気が澱んでしまい、バルコニー、廊下の換気が良好に行われないという問題点があった。
本発明は、バルコニーや廊下の換気を良好にできる建物を提供する。
【課題を解決するための手段】
【０００５】
本発明に係る建物は、バルコニーの床の建物外部側端部に、バルコニー側から建物外部側に向けて傾斜して立ち上がる傾斜面を有した気流制御部を備えたので、バルコニーに対して気流が出入しやすくなり、バルコニーの換気を良好にできる。
また、廊下の床の建物外部側端部に、廊下側から建物外部側に向けて傾斜して立ち上がる傾斜面を有した気流制御部を備えたので、廊下に対して気流が出入しやすくなり、廊下の換気を良好にできる。
また、相対峙する一方の外壁面側及び他方の外壁面側のいずれか一方側にバルコニーが設けられて他方側に廊下が設けられた構成、又は、相対峙する一方の外壁面側及び他方の外壁面側の両方側にバルコニーが設けられた構成を備えるとともに、バルコニーの床の建物外部側端部に、バルコニー側から建物外部側に向けて傾斜して立ち上がる傾斜面を有した気流制御部を備え、かつ、廊下の床の建物外部側端部に、廊下側から建物外部側に向けて傾斜して立ち上がる傾斜面を有した気流制御部を備えたので、バルコニーや廊下に対して気流が出入しやすくなり、バルコニーや廊下の換気を良好にできる建物が得られる。
また、気流制御部として、手摺を兼ねた構成の気流制御部を備えたことにより、気流制御部の内側に手摺が無いために空気の流れを阻害する要因が減るので、気流制御部の傾斜面による気流制御効果が向上し、ボイド側廊下の換気がより良好に行われるようになる。
【図面の簡単な説明】
【０００６】
【図１】建物を示す図であって、（ａ）は水平断面図、（ｂ）は気流制御部の拡大図、（ｃ）は垂直断面図（実施形態１）。
【図２】シミュレーションの条件を示す図（実施形態１；従来例）。
【図３】シミュレーション結果を示す図（実施形態１；従来例）。
【図４】シミュレーション結果を示す図（実施形態１；従来例）。
【発明を実施するための形態】
【０００７】
実施形態１
建物１は、図１に示すように、例えば集合住宅であって、図１（ａ）；図１（ｃ）に示すように複数階の各階において複数戸の住居が隣り合って形成された構成であり、各階において、複数戸の住居のバルコニー２が互いに隣り合うように設けられ、かつ、複数戸の住居の前の廊下３が連続した通路を形成している。そして、バルコニー２及び廊下３が建物外部に面している。
【０００８】
建物１は、バルコニー２の床１３の建物外部側端部９に、バルコニー側から建物外部側に向けて傾斜して立ち上がる傾斜面１１を形成する板１２（例えば平板）により形成されて建物外部側に位置される気流制御部２０を備えるとともに、廊下３の床１３の建物外部側端部９に、廊下側から建物外部側に向けて傾斜して立ち上がる傾斜面１１を形成する板１２（例えば平板）により形成されて建物外部側に位置される気流制御部３０を備える（図１（ｂ）参照）。尚、傾斜面１１は、バルコニー２側や廊下３側に面する面である。
また、気流制御部２０は、手摺を兼ねた気流制御部２０；３０であってもよいし、図外の手摺とは別に設けられた気流制御部２０；３０であってもよい。
手摺を兼ねた構成の気流制御部２０；３０を設けた場合、気流制御部２０；３０の内側に手摺が無いために空気の流れを阻害する要因が減るので、気流制御部２０；３０の傾斜面１１による気流制御効果が向上し、後述するようにバルコニー２や廊下３の換気がより良好に行われるようになる。
一方、気流制御部２０；３０とは別に手摺を設ける場合には、当該手摺としては、例えば、床１３と気流制御部２０；３０との境界部付近の床１３や気流制御部２０；３０より立ち上がるように設けられた手摺、あるいは、気流制御部２０；３０の上端側から建物内側方向に延長するように設けられた手摺を設ければよいが、この場合、空気の流通を遮断する板状でない構成の手摺を設ける。例えば、床１３と気流制御部２０；３０との境界部付近の床１３や気流制御部２０；３０より立ち上がるように設けられた支持部の上端側にバルコニー２や廊下３の延長方向に延長するような手摺部を備えた手摺、あるいは、気流制御部２０：３０の上端側から建物内側方向に延長するように設けられた支持部の先端側にバルコニー２や廊下３の延長方向に延長するような手摺部を備えた手摺であって、前記支持部が柵状又は格子状に形成された構成の手摺を設ければよい。
【０００９】
例えば、図１（ｂ）に示すように、気流制御部２０；３０の床１３からの垂直方向の高さｈは１２０ｃｍ程度に形成され、気流制御部２０のバルコニー２から建物外部側に突出する水平方向の長さｗ、又は、気流制御部３０の廊下３から建物外部側に突出する水平方向の長さｗは６９ｃｍ程度に形成され、気流制御部２０；３０の傾斜面１１と床１３とのなす角度（鋭角）αは６０°程度に形成される。尚、手摺を兼ねた気流制御部２０；３０の場合、気流制御部２０；３０の高さｈ、長さｗ、角度αは、人が気流制御部２０；３０を乗り越えられないように適切な値に設定される。例えば、手摺を兼ねた気流制御部２０；３０の場合、気流制御部２０；３０の高さｈは１１０〜１３０ｃｍ程度が好ましい。
気流制御部２０；３０は、例えば、鉄筋コンクリート、金属、強化合成樹脂等の材料により形成される。
【００１０】
風が吹き、建物の外壁面に風圧が作用した場合に、バルコニー２内及び廊下３内での気流状態をシミュレーションで求めた結果を図３；図４に示す。
シミュレーションでは、水平断面及び垂直断面が長方形状である直方体形状の図２に示すような建物１；１００のバルコニー２側の外壁面２１に直交する方向から建物１；１００のバルコニー２側の外壁面２１に向けて風が吹いた場合（図２に黒矢印で示すように風向０°で風が吹いた場合（図２の紙面上において下から上に向けて風が吹いた場合））を想定して、建物１；１００のバルコニー２内及び廊下３内での気流状態を解析したとともに、上記建物１；１００のバルコニー２側の外壁面２１と直交する外壁側面２２に直交する方向から当該外壁側面２２に向けて風が吹いた場合（図２に黒矢印で示すように風向９０°で風が吹いた場合（図２の紙面上において建物の中心を中心として風向０°の位置より右回りに９０°回転させた位置から建物の中心に向けて風が吹いた場合））を想定して、建物１；１００のバルコニー２内及び廊下３内での気流状態を解析した。
【００１１】
図３（ａ）は気流制御部２０；３０を有した実施形態１の建物１に風向０°で風が吹いたと想定した場合にバルコニー２内及び廊下３内での気流状態をシミュレーションで求めた結果を示し、図３（ｂ）は垂直部１５を有した従来の建物１００に風向０°で風が吹いたと想定した場合にバルコニー２内及び廊下３内での気流状態をシミュレーションで求めた結果を示し、図４（ａ）は気流制御部２０；３０を有した実施形態１の建物１に風向９０°で風が吹いたと想定した場合にバルコニー２内及び廊下３内での気流状態をシミュレーションで求めた結果を示し、図４（ｂ）は垂直部１５を有した従来の建物１００に風向９０°で風が吹いたと想定した場合にバルコニー２内及び廊下３内での気流状態をシミュレーションで求めた結果を示した図である。尚、図３；図４では、図２の垂直断面切断位置Ｐにおける状態を示した。また、図３；図４に示す矢印群は気流の流れを示す。
【００１２】
建物に風向０°で風が吹いたと想定した場合において、垂直部１５を備えた従来の建物１００では、図３（ｂ）に示すように、バルコニー２内及び廊下３内で気流が渦巻いてしまって、バルコニー２及び廊下３に対する気流の出入が少ないのに対して、実施形態１の建物１では、図３（ａ）に示すように、バルコニー２及び廊下３に対する気流の出入が多く見られ、バルコニー２及び廊下３の換気が良好に行われていることが判る。
【００１３】
また、建物に風向９０°で風が吹いたと想定した場合においても、垂直部１５を備えた従来の建物１００では、図４（ｂ）に示すように、バルコニー２及び廊下３に対する気流の出入が少ないのに対して、実施形態１の建物１では、図４（ａ）に示すように、バルコニー２及び廊下３に対する気流の出入が多く見られ、バルコニー２及び廊下３の換気が良好に行われていることが判る。
【００１４】
即ち、実施形態１の建物１によれば、バルコニー２の床１３の建物外部側端部９に気流制御部２０を備えるとともに、廊下３の床１３の建物外部側端部９に気流制御部３０を備えたので、バルコニー２及び廊下３に対して気流が出入しやすくなり、バルコニー２及び廊下３の換気を良好にできる。
【００１５】
実施形態１によれば、相対峙する一方の外壁面側及び他方の外壁面側のいずれか一方側にバルコニー２が設けられて他方側に廊下３が設けられた構成の建物のバルコニー２に気流制御部２０が設けられ廊下３に気流制御部３０が設けられた構成の建物１を示したが、本発明は、建物の相対峙する一方の外壁面側及び他方の外壁面側の両方側にバルコニー２；２が設けられ、建物の中央側に廊下３を備えた構成の建物において、気流制御部２０が両外壁面側のバルコニー２；２のそれぞれに設けられた構成の建物１であっても同様に効果を奏する。建物の相対峙する一方の外壁面側及び他方の外壁面側の両方側にバルコニー２；２が設けられ、建物の中央側に廊下３を備えた構成の建物としては、ホテル、病院、マンション、アパート等がある。
【００１６】
尚、バルコニー２の気流制御部２０だけを備えた建物としてもよいし、廊下３の気流制御部３０だけを備えた建物としてもよい。また、気流制御部２０；３０は、バルコニー２や廊下３の一部にのみ設けるようにしてもよいし、また、階毎に設ける場所を異ならせるようにしてもよい。
【符号の説明】
【００１７】
１  建物、２  バルコニー、３  廊下、９  建物外部側端部、１１  傾斜面、
２０；３０  気流制御部。
【図１】
2013204304.tif 000003
【図２】
2013204304.tif 000004
【図３】
2013204304.tif 000005
【図４】
2013204304.tif 000006